(57)【要約】【課題】単純な構造でありながら、複雑な組立体を得ることができ、創造性豊かな組木遊びや家具としての利用を可能とする。【解決手段】凹型組木１０Ａ，１０Ｂは、長手方向が平行の状態で、凹型組木１０Ａ，１０Ｂの一方の溝１８に、凹型組木１０Ａ，１０Ｂの他方の袖部１４，１６の一方が半分はまり込んだ状態となっている。凹型組木１０Ｃ，１０Ｄは、長手方向が直交する状態で、凹型組木１０Ｃ，１０Ｄの一方の溝１８に、凹型組木１０Ｃ，１０Ｄの他方の袖部１４，１６の一方が半分はまり込んだ状態となっている。いずれも、凹型組木１０Ａ〜１０Ｄの溝１８が半分空いているため、この部分に他の組木を追加して組み込むことができる。【選択図】図１
0003172064.tif 000002
【実用新案登録請求の範囲】
【請求項１】
板状の基部の短手方向の両端に、第１及び第２の袖部を平行に起立形成し、これら第１及び第２の袖部の間に溝を形成することで、第１の袖部，基部，第２の袖部が凹字状に連続しており、前記袖部が前記溝にはまり込み可能とした形状を特徴とする凹型組木。
【請求項２】
前記袖部，溝，及び基部の厚みをＷとしたとき、前記溝の深さが２Ｗであり、組木全体としての大きさが、長手方向の長さは４Ｗ，短手方向の長さ及び袖部形成方向の長さは３Ｗであることを特徴とする請求項１記載の凹型組木。
【請求項３】
表面に着色を施したことを特徴とする請求項１又は２記載の凹型組木。
【請求項４】
板状の基部の一端に第１の袖部を延長形成するとともに、前記基部の他端に第２の袖部を起立形成し、第１の袖部，基部，第２の袖部がＬ字状に連続しており、前記第１及び第２の袖部が請求項１〜３のいずれかの記載の凹型組木の溝にはまり込み可能とした形状を特徴とするＬ型組木。
【請求項５】
表面に着色を施したことを特徴とする請求項４記載のＬ型組木。
【請求項６】
請求項１〜３のいずれかに記載の凹型組木と、請求項１〜３のいずれかに記載の凹型組木もしくは請求項４又は５記載のＬ型組木の少なくとも一方と、
をそれぞれ含み、
いずれかの凹型組木の溝に、他の凹型組木もしくはＬ型組木の袖部がはまり込むように組み立てたことを特徴とする組木の組立体。
【請求項７】
請求項６記載の組木の組立体の構造を有することを特徴とする家具。
【考案の詳細な説明】
【技術分野】
【０００１】
本考案は、組木，それを利用した組立体及び家具に関するものである。
【背景技術】
【０００２】
組木に関する背景技術としては、例えば、下記特許文献１記載の擬木連組木がある。これは、形状に融通がきくようにすることを目的としたもので、複数本の擬木丸太を隣接して並列に並べるとともに、それらの上下両端部に丸太とほぼ直交する方向に貫通孔を設け、これに柔軟性ロープ２を貫通して擬木丸太を曲折可能に余裕をもって連結することで、擬木丸太を任意の曲線状や円弧状等に並べられるようにしている。下記特許文献２記載の６本組木パズルは、６本の組木の各ブロックの切欠き形状を工夫することで、組立て方法を複数化したパズルとしたものである。
【先行技術文献】
【特許文献】
【０００３】
【特許文献１】実開平６−５７１３５号公報
【特許文献２】特開２００４−２５５１４２号公報
【考案の概要】
【考案が解決しようとする課題】
【０００４】
しかしながら、上述した背景技術は、いずれも構造が複雑で、組み合わせ方に限度があり、多様な組立体を得ることができないといった不都合がある。本考案は、以上のような点に着目したもので、その目的は、単純な構造でありながら、複雑な組立体を得ることができ、創造性豊かな組木遊びや家具への応用を可能とすることである。
【課題を解決するための手段】
【０００５】
本考案の凹型組木は、板状の基部の短手方向の両端に、第１及び第２の袖部を平行に起立形成し、これら第１及び第２の袖部の間に溝を形成することで、第１の袖部，基部，第２の袖部が凹字状に連続しており、前記袖部が前記溝にはまり込み可能とした形状を特徴とする。主要な形態の一つは、前記袖部，溝，及び基部の厚みをＷとしたとき、前記溝の深さが２Ｗであり、組木全体としての大きさが、長手方向の長さは４Ｗ，短手方向の長さ及び袖部形成方向の長さは３Ｗであることを特徴とする。他の形態の一つは、表面に着色を施したことを特徴とする。
【０００６】
本考案のＬ型組木は、板状の基部の一端に第１の袖部を延長形成するとともに、前記基部の他端に第２の袖部を起立形成し、第１の袖部，基部，第２の袖部がＬ字状に連続しており、前記第１及び第２の袖部が前記いずれかの凹型組木の溝にはまり込み可能とした形状を特徴とする。主要な形態の一つは、表面に着色を施したことを特徴とする。
【０００７】
本考案の組木の組立体は、前記いずれかの凹型組木と、前記いずれかの凹型組木もしくは前記いずれかのＬ型組木の少なくとも一方と、をそれぞれ含み、いずれかの凹型組木の溝に、他の凹型組木もしくはＬ型組木の袖部がはまり込むように組み立てたことを特徴とする。本考案の家具は、前記組木の組立体の構造を有することを特徴とする。本考案の前記及び他の目的，特徴，利点は、以下の詳細な説明及び添付図面から明瞭になろう。
【考案の効果】
【０００８】
本考案によれば、袖部と溝を備えた凹型組木や、２つの袖部を備えたＬ型組木を用意し、いずれかの袖部が溝にはまり込む寸法設計としたので、単純な構造でありながら、複雑な組立体を形作ることができ、組木遊び，オブジェクトの創作に好適であり、家具としても利用することもできる。
【図面の簡単な説明】
【０００９】
【図１】本考案の実施例１の凹型組木及び組立体及び家具を示す図である。
【図２】本考案の実施例２のＬ型組木及び組立体を示す図である。
【図３】本考案の実施例３の組立体を示す図である。
【図４】本考案の実施例３の組立体を示す図である。
【図５】本考案の実施例３の組立体を示す図である。
【考案を実施するための形態】
【００１０】
以下、本考案を実施するための形態を、実施例に基づいて詳細に説明する。
【実施例１】
【００１１】
図１には、本考案の実施例が示されている。同図(A)に示すように、本実施例の凹型組木１０は、直方体の長手方向に沿って溝１８を形成することで、結果的に、基部１２の短手方向の両端に、第１及び第２の袖部１４，１６が平行に起立形成された形状となっており、袖部１４，基部１２，袖部１６が凹字状に連続している。袖部１４，１６及び溝１８の厚みは、いずれも同じＷで、袖部１４，１６が前記溝１８にはまり込み可能となっている。基部１２の短手方向の幅は３Ｗ，長手方向の幅は４Ｗ，厚みはＷとなっており、袖部１４，１６の高さ及び溝１８の深さは、いずれも２Ｗとなっている。Ｗは、どのように設定してもよいが、組木の場合は例えば１センチとし、後述する家具の場合は例えば１０〜３０センチとする。凹型組木１０の角部ないし頂部には、面取りが適宜施される。凹型組木１０の材料としては、木材，樹脂，金属など、多様なものが使用可能である。
【００１２】
図１(B)は、凹型組木１０Ａ，１０Ｂを組み立てた例で、同図を矢印ＦＢ方向から見ると、図１(C)のようになる。これらの図に示すように、凹型組木１０Ａ，１０Ｂは、長手方向が平行の状態で、凹型組木１０Ａ，１０Ｂの一方の溝１８に、凹型組木１０Ａ，１０Ｂの他方の袖部１４，１６の一方が半分はまり込んだ状態となっている。
【００１３】
図１(D)は、凹型組木１０Ｃ，１０Ｄを組み立てた他の例で、同図を矢印ＦＤ方向から見ると、図１(E)のようになる。これらの図に示すように、凹型組木１０Ｃ，１０Ｄは、長手方向が直交する状態で、凹型組木１０Ｃ，１０Ｄの一方の溝１８に、凹型組木１０Ｃ，１０Ｄの他方の袖部１４，１６の一方が半分はまり込んだ状態となっている。
【００１４】
このような組立例によれば、いずれも、凹型組木１０Ａ〜１０Ｄの溝１８が半分空いているため、この部分に他の組木を追加して組み込むことができる。図１(F)には、そのような組立体ないしオブジェクトの一例が示されており、凹型組木１０Ｐと１０Ｑは、前記図１(D)に示した組立体となっており、凹型組木１０Ｑと１０Ｒは、前記図１(C)に示した組立体となっている。
【００１５】
図１(G)は、凹型組木１０を大きな寸法として組み立てることで、家具として使用するようにした例である。図示の例は、花瓶ＦＷを置く花瓶台ないし飾り台として使用した例で、例えば、図中の凹型組木１０Ｃ，１０Ｄは図１(D)に示した組立体となっている。凹型組木１０の寸法や組立体により、テーブル，椅子，台（卓），ベンチ，など、多様な家具として使用することができる。また、組立体を変更することで、テーブルとして使用していたものを椅子として使用するといった多様な使い方ができる。
【００１６】
このように、本実施例の凹型組木によれば、袖部と溝を備えるとともに、袖部が溝にはまり込む寸法設計とすることで、単純な構造でありながら、創造性豊かな組木遊びが可能となり、更には複雑なオブジェクトや家具を組み立てることができる。
【実施例２】
【００１７】
次に、図２を参照しながら、本考案の実施例２について説明する。図２(A)のＬ型組木２０は、長さが４Ｗ，幅が２Ｗで厚みがＷの基部２２の一端に、長さが４Ｗ，幅が２Ｗで厚みがＷの袖部２３を延長形成し、基部２２の他端に、長さが４Ｗ，幅が２Ｗで厚みがＷの袖部２４を起立形成した形状となっており、袖部２３，基部２２，袖部２４がＬ字状に連続している。
【００１８】
図２(B)のＬ型組木３０は、同図(A)のＬ型組木２０を、袖部２３，２４の長手方向において切断（図示の例では半分に切断）したもので、基部３２の一端に袖部３３が延長形成されており、他端に袖部３４が起立形成されており、同様に袖部３３，基部３２，袖部３４がＬ字状に連続している。
【００１９】
これらのＬ型組木２０，３０は、袖部２３，２４，３３，３４を、上述した実施例１の凹型組木１０の溝１８にはめ込むようにして使用する。図２(C)は、Ｌ型組木２０の袖部２４に対して凹型組木１０の溝１８をはめ込んだ例である。袖部２４の全体が溝１８にはまり込んでいる。図２(D)は、Ｌ型組木２０の袖部２４の半分を凹型組木１０の溝１８にはめ込んだ例である。図２(C)において、凹型組木１０を長手方向に２Ｗスライドさせると、図２(D)のようになる。
【００２０】
図２(E)は、凹型組木１０の溝１８に対して、Ｌ型組木２０の袖部２３の全体をはめ込んだ例である。図２(F)は、凹型組木１０の溝１８に対して、Ｌ型組木２０の袖部２３の半分をはめ込んだ例である。図２(E)において、Ｌ型組木２０を溝１８方向に２Ｗスライドさせると、図２(F)のようになる。図２(G)は、凹型組木１０の溝１８に対して、Ｌ型組木３０の袖部３４の全体をはめ込んだ例である。図２(H)は、凹型組木１０の溝１８に対して、Ｌ型組木３０の袖部３３の全体をはめ込んだ例である。
【００２１】
図２(I)は、凹型組木１０の溝１８に対して、長手方向が直交するように、Ｌ型組木２０の袖部２４をはめ込んだ例である。図示しないが、袖部２４の代わりに袖部２３を溝１８にはめ込むようにしてもよい。図２(J)は、図２(I)のＬ型組木２０の代わりにＬ型組木３０の袖部３４をはめ込んだ例である。同様に、図示しないが、袖部３４の代わりに袖部３３を溝１８にはめ込むようにしてもよい。
【００２２】
図２(C)〜(J)のいずれにおいても、更に他の凹型組木１０やＬ型組木２０，３０を組み込むことで、多様な組立体を得ることができる。
【実施例３】
【００２３】
次に、図３〜図５参照しながら、本考案の実施例３について説明する。本実施例は、組立体の例を示すもので、図３(A)は、上述した図１(G)の家具の例に対応する組立体の例である。図３(B)及び(C)は、直立方向に組み立てた組立体の例である。図４(A)及び(B)は、設置面と接する組木は一つであり、これに２方向に組み立てた組立体の例である。図５(A)は設置面と接する組木が２つある例で、その上に図４(A)の組構造を結合したものが図５(B)の例である。
【００２４】
なお、本考案は、上述した実施例に限定されるものではなく、本考案の要旨を逸脱しない範囲内において種々変更を加えることができる。例えば、以下のものも含まれる。
(1)組木に、色，模様，文字などを付けるようにしてもよい。その場合に、組木の面毎に色や模様等を変更するようにしてよい。また、表面に抗菌などのコーティングを施す，異なる素材を張り付けるなど、公知の各種の技術を適用してよい。
(2)組木の中に金属などを入れて重量を重くしたり、逆に中空とすることで重量を軽くするなど、必要に応じた構造としてよい。
(3)素材が異なる組木を組み合わせるようにしてもよい。例えば、オブジェクトの下段部分には金属製もしくは金属入りの重い組木を使用し、上段部分には木材や中空の軽い組木を使用することで、バランスをとるといった具合である。
(4)前記組木は、直方体の素材から削り出して製作してもよいが、基部に袖部を貼り合わせるといった方法など、公知の各種の方法を使用してよい。
【産業上の利用可能性】
【００２５】
本考案によれば、袖部と溝を備えた凹型組木や、２つの袖部を備えたＬ型組木を用意し、いずれかの袖部が溝にはまり込む寸法設計としたので、単純な構造でありながら、複雑な組立体を形作ることができ、組木遊びやオブジェクトの創作，家具の分野に利用できる。
【符号の説明】
【００２６】
１０，１０Ａ〜１０Ｄ，１０Ｐ〜１０Ｒ：凹型組木
１２：基部
１４，１６：袖部
１８：溝
２０，３０：Ｌ型組木
２２，３２：基部
２３，２４，３３，３４：袖部
ＦＷ：花瓶
【図２】
0003172064.tif 000003
【図１】
0003172064.tif 000004
【図３】
0003172064.tif 000005
【図４】
0003172064.tif 000006
【図５】
0003172064.tif 000007